(57)【要約】【課題】人体や環境に悪影響を及ぼすことなく安全に物品の劣化や変質を防ぎ、物品を長期に渡って保存できる物品の保管方法及び物品保管装置を提供する。【解決手段】本発明の物品保管装置１Ａは、保管物品１０Ａを包装する物品包装手段１１と、物品包装手段１１と共に保管袋１２に密封される脱酸素剤１３と、物品包装手段１１と脱酸素剤１３とを略真空に密封するための保管袋１２とを備える。物品包装手段１１はその内面側に光触媒とアパタイトとの複合体が塗布され、保管物品１０Ａを有害物質から守る。さらに脱酸素剤１３で物品の酸化を防ぎ、保管袋１２により略真空を保つことで保管物品１０Ａの長期保存を可能にする。【選択図】図１
2009012803.tif 000002
【特許請求の範囲】
【請求項１】
（ａ）保管対象の物品を、光触媒及びアパタイトを含む複合体がその内面側に塗布された物品包装手段内に挿入するステップと、
（ｂ）前記物品包装手段の開口部を密封するステップと、
（ｃ）前記密封した前記物品包装手段を、脱酸素剤と共に透明又は半透明の保管袋内に挿入するステップと、
（ｄ）前記保管袋内の空気を引き抜くステップと、
（ｅ）空気が除去された前記保管袋の開口部を密封するステップと、
の各ステップを有することを特徴とする物品の保管方法。
【請求項２】
前記ステップ（ｅ）の後に、
（ｆ）密封した前記保管袋を、さらに第２の保管袋内に入れるステップと、
（ｇ）前記第２の保管袋内の空気を引き抜くステップと、
（ｈ）前記第２の保管袋の開口部を密封するステップ、
の各ステップをさらに有することを特徴とする請求項１に記載の物品の保管方法。
【請求項３】
前記光触媒は、二酸化チタン、酸化亜鉛、酸化バナジウム、三酸化ビスマス、三酸化タングステン、酸化鉄、チタン酸ストロンチウム、又は硫化カドミウムの何れか一つ又は複数の物質から成る請求項１又は２に記載の物品の保管方法。
【請求項４】
前記複合体には、さらに、殺菌剤及び／又は水生ポリマーが含まれることを特徴とする請求項１に記載の物品の保管方法。
【請求項５】
前記殺菌剤は、過酸化水素水を生じさせる物質、イオンを生じさせる銀を含む金属又はトリポリリン酸であることを特徴とする請求項４に記載の物品の保管方法。
【請求項６】
前記水生ポリマーは、水分を含有するヒアルロリン酸及び／又はケルザンであることを特徴とする請求項４に記載の物品の保管方法。
【請求項７】
前記物品包装手段の素材は、不織布、織布又は合成樹脂の何れかより成る請求項１又は２に記載の物品の保管方法。
【請求項８】
前記保管袋の素材は、ポリエチレン、ポリプロピレン、ポリ塩化ビニリデン、ポリスチレン、ポリ酢酸ビニル、ポリ塩化ビニル、ナイロン、又はポリテトラフルオロエチレンの何れかより成る請求項１又は２に記載の物品の保管方法。
【請求項９】
前記ステップ（ｅ）又は（ｈ）において、前記保管袋の開口部は、加熱圧接により密封される請求項１又は２に記載の物品の保管方法。
【請求項１０】
前記ステップ（ｃ）において、前記保管袋内には、前記脱酸素剤と共に酸素検知剤が入れられる請求項１又は２に記載の物品の保管方法。
【請求項１１】
保管対象の物品を包装する、光触媒及びアパタイトを含む複合体を含有する物品包装手段と、
前記物品包装手段と共に保管袋に密封される脱酸素剤と、
前記物品包装手段と脱酸素剤とを密封する保管袋と、
を具備することを特徴とする物品保管装置。
【請求項１２】
前記複合体には、さらに、殺菌剤及び／又は水生ポリマーを含まれるむことを特徴とする請求項１１に記載の物品保管装置。
【請求項１３】
前記殺菌剤は、過酸化水素水を生じさせる物質、イオンを生じさせる銀を含む金属又はトリポリリン酸であることを特徴とする請求項１２に記載の物品保管装置。
【請求項１４】
前記水生ポリマーは、水分を含有するヒアルロリン酸及び／又はケルザンであることを特徴とする請求１３に記載の物品保管装置。
【請求項１５】
前記保管袋内には、前記脱酸素材と共に酸素検知剤が入れられる請求項１１に記載の物品保管装置。
【請求項１６】
前記光触媒は、二酸化チタン、酸化亜鉛、酸化バナジウム、三酸化ビスマス、三酸化タングステン、酸化鉄、チタン酸ストロンチウム、又は硫化カドミウムの何れか一つ又は複数の物質から成る請求項１１に記載の物品保管装置。
【請求項１７】
前記物品包装手段の素材は、不織布、織布又は合成樹脂の何れかより成る請求項１１に記載の物品保管装置。
【請求項１８】
前記保管袋の素材は、ポリエチレン、ポリプロピレン、ポリ塩化ビニリデン、ポリスチレン、ポリ酢酸ビニル、ポリ塩化ビニル、ナイロン、又はポリテトラフルオロエチレンの何れかより成る請求項１１に記載の物品保管装置。
【発明の詳細な説明】
【技術分野】
【０００１】
本発明は、物品の保管方法及び物品保管装置に係り、特に、古美術品等の経時劣化や変質により価値が低下する物品を、長期に渡って錆や腐食等によって変質させることなく保存するための物品の保管方法及び物品保管装置に関する。
【背景技術】
【０００２】
従来、古美術品等の経時劣化や変質により価値が低下する物品等を、長期に渡って劣化や変質を引き起こすことなく保存する方法として、物品表面から酸素を遮断して物品の酸化を防止する方法が考案されている。
【０００３】
例えば、特許文献１には、熱可塑性樹脂に鉄系脱酸素剤を練り混ぜて分散させた酸素吸収樹脂層を、物品を包装する容器の少なくとも一部に使用すると共に、容器内の空気を炭酸ガスで置き換えることにより、物品表面を炭酸ガス雰囲気下で酸素が吸収されるようにし、実質的に無酸素状態を実現する物品保存方法が開示されている。
【０００４】
また、特許文献２には、鉄粉系脱酸素剤を有孔多層包装袋に収納した後、これを無孔紙系通気性包装材によって包装した包装手段、若しくは鉄粉系脱酸素剤を熱可塑性樹脂に配合、成形、延伸したシート状脱酸素剤を通気性包装材によって包装した包装手段、を使用して、保存中に汚れや褐変、黒変などの変色が発生しやすい物質を含む物品を保存する物品の保存方法が開示されている。
【特許文献１】特開平１０−４５１７７号公報
【特許文献２】特開２００１−１４９０５３号公報
【発明の開示】
【発明が解決しようとする課題】
【０００５】
しかし、上記のような従来の物品の保管方法では、物品表面から酸素を遮断して物品表面の酸化を防止することについては考慮されているが、物品表面の雰囲気中に含まれる分解され難い有害化学物質や悪臭の原因物質、カビや細菌等の微生物などによる変質までは考慮されていなかった。そのため、物品の長期保存には完全には耐えられないという問題があった。
【０００６】
一方、有害化学物質を分解する方法として、塩素やオゾンを使用する方法があるが、これは人体への悪影響や大気汚染を引き起こす物質を用いるため、いずれも好ましい解決方法にはなっていない。また、オゾンは、酸化を促進させてしまう危険性がある。さらに、殺菌剤等を使用する方法も、保存する物品を変質させたり物品に匂いを付着させる等の問題があった。
【０００７】
本発明は、上記従来の問題点に鑑みて、人体や環境に悪影響を及ぼすことなく安全に物品の劣化や変質を防ぎ、物品を長期に渡って保存できる物品の保管方法及び物品保管装置を提供することを目的とする。
【課題を解決するための手段】
【０００８】
本発明は、上記課題を解決するために、
（ａ）保管対象の物品を、光触媒とアパタイトとの複合体がその内面側に塗布された物品包装手段内に挿入するステップと、
（ｂ）前記物品包装手段の開口部を密封するステップと、
（ｃ）前記密封した前記物品包装手段を、脱酸素剤と共に透明又は半透明の保管袋内に挿入するステップと、
（ｄ）前記保管袋内の空気を引き抜くステップと、
（ｅ）空気が除去された前記保管袋の開口部を密封するステップと、の各ステップを有することを特徴とする物品の保管方法を提供する。
【０００９】
また、上記物品の保管方法において、前記ステップ（ｅ）の後に、
（ｆ）密封した前記保管袋を、さらに第２の保管袋内に入れるステップと、
（ｇ）前記第２の保管袋内の空気を引き抜くステップと、
（ｈ）前記第２の保管袋の開口部を密封するステップ、
の各ステップをさらに有するようにする。
【００１０】
また、上記物品の保管方法において、前記光触媒は、二酸化チタン、酸化亜鉛、酸化バナジウム、三酸化ビスマス、三酸化タングステン、酸化鉄、チタン酸ストロンチウム、又は硫化カドミウムの何れか一つ又は複数の物質から成るようにする。
【００１１】
また、上記物品の保管方法において、前記物品包装手段の素材は、不織布、織布又は合成樹脂の何れかより成るようにする。
【００１２】
また、上記物品の保管方法において、前記保管袋の素材は、ポリエチレン、ポリプロピレン、ポリ塩化ビニリデン、ポリスチレン、ポリ酢酸ビニル、ポリ塩化ビニル、ナイロン、又はポリテトラフルオロエチレンの何れかより成るようにする。
【００１３】
また、上記物品の保管方法において、前記ステップ（ｅ）又は（ｈ）において、前記保管袋の開口部は、加熱圧接により密封されるようにする。
【００１４】
ところで、前記複合体には、さらに、殺菌剤及び／又は水生ポリマーが含まれる。ここで、前記殺菌剤は、過酸化水素水を生じさせる物質、イオンを生じさせる銀を含む金属又はトリポリリン酸であり、前記水生ポリマーは、水分を含有するヒアルロリン酸及び／又はケルザンである。
【００１５】
また、上記物品の保管方法において、前記ステップ（ｃ）において、前記保管袋内には、前記脱酸素剤と共に酸素検知剤が入れられるようにする。
【００１６】
さらに本発明は、上記課題を解決するために、保管対象の物品を包装する、光触媒とアパタイトとの複合体を含有する物品包装手段と、前記物品包装手段と共に保管袋に密封される脱酸素剤と、前記物品包装手段と脱酸素剤とを密封する保管袋と、を具備することを特徴とする物品保管装置を提供する。
【００１７】
また、上記物品保管装置において、前記保管袋内には、前記脱酸素材と共に酸素検知剤が入れられるようにする。
【００１８】
また、上記物品保管装置において、前記光触媒は、二酸化チタン、酸化亜鉛、酸化バナジウム、三酸化ビスマス、三酸化タングステン、酸化鉄、チタン酸ストロンチウム、又は硫化カドミウムの何れか一つ又は複数の物質から成るようにする。
【００１９】
また、上記物品保管装置において、前記物品包装手段の素材は、不織布、織布又は合成樹脂の何れかより成るようにする。
【００２０】
また、上記物品保管装置において、前記保管袋の素材は、ポリエチレン、ポリプロピレン、ポリ塩化ビニリデン、ポリスチレン、ポリ酢酸ビニル、ポリ塩化ビニル、ナイロン、又はポリテトラフルオロエチレンの何れかより成るようにする。
【００２１】
このように構成することにより、人体や環境に悪影響を及ぼすことなく安全に物品の劣化や変質を防ぎ、物品を長期に渡って保存することが可能となる。
【発明の効果】
【００２２】
本発明によれば、
（１）物品包装手段が含有するアパタイトが物品表面及び雰囲気中の有害物質を吸着し、さらにこのアパタイトと複合化された光触媒がその有害物質を分解除去するため、物品を有害物質から守ることができる。
（２）また、脱酸素剤により物品の酸化を防ぐことができる。
（３）保管袋により略真空を保つことで、（１）、（２）の効果を長期間持続させることができる。
（４）従来の塩素やオゾン等を使用する物品の保存方法と比べると、人体や環境に悪影響を及ぼすことがなく、安全に物品の劣化や変質を長期間防ぐことができる。
【発明を実施するための最良の形態】
【００２３】
以下、本発明の実施の形態について、図面を参照しながら詳細に説明する。
〔第１の実施形態〕
図１は、本発明の第１の実施形態に係る物品保管装置１Ａの全体構成を示す平面図である。
保管物品１０Ａとして、この実施形態では刀剣の鍔を例に挙げている。
この図に示すように、物品保管装置１Ａは、保管物品１０Ａを包装する物品包装手段１１と、物品包装手段１１を密封するための保管袋１２とを備えている。
【００２４】
物品包装手段１１は、保管物品１０Ａを包装して有害物質から守るためのものであり、保管物品１０Ａを包装するのに好適なサイズ及び形状を有する。好ましくは、物品包装手段１１は予め三辺に閉じ部１１１を有する袋形状であり、保管物品１０Ａを入れた後に残りの一辺（封入口１１２）を閉じることにより保管物品１０Ａ全体を密封することができる。
この物品包装手段１１には、内側に光触媒とアパタイトとの複合体が塗布されており、不織布、織布、合成樹脂のような、通気性を有する素材より構成される。
【００２５】
物品包装手段１１に含まれる光触媒は、光が照射された際の酸化還元作用により保管物品１０Ａを包む雰囲気に含まれる有害物質を分解、除去する作用を有する。例えば、窒素酸化物やダイオキシン等の有害化学物質や、保管物品１０Ａに付着する油汚れ等を分解処理する。また、悪臭の原因物質を分解除去し、カビ、細菌、ウィルス等の有害な微生物を死滅させる。この光触媒としては、二酸化チタン、酸化亜鉛、酸化バナジウム、三酸化二ビスマス、三酸化タングステン、酸化鉄、チタン酸ストロンチウム、硫化カドミウム等を使用することができる。
【００２６】
アパタイトは、Ｍ，Ｚ，Ｘを任意の元素として、Ｍ10（ＺＯ4）6Ｘ2の組成を有する鉱物群であり、日本名ではリン灰石と呼ばれている。ここで、前記のＭとＺの主成分はそれぞれカルシウムとリンであるが、Ｍ，Ｚ，Ｘは種々の元素で比較的容易に置換することができる。Ｍにカルシウム、Ｚにリン、Ｘにフッ素が主成分として入ると、フッ化アパタイトとなる。
【００２７】
このアパタイトは、光触媒を活性化させる機能を有する。即ち、光触媒だけでは、光が当たらない時は有害物質の分解、除去はできず、また光触媒に有害物質が接触しなければ上記の効果が生じない。しかし光触媒にアパタイトが複合化されていれば、光が当たらない時でも有害物質をアパタイトが吸着保持し、光触媒に有害物質を接触させるので、光が当たった際に光触媒は確実かつ効率的に有害物質を分解、除去することができる。また、アパタイトが有害物質を吸着することにより、保管物品１０Ａに有害物質が接触することを防ぐことができる。
【００２８】
なお、光触媒とアパタイトの複合化は、混合、被覆（光触媒をアパタイトで被覆）、置換（アパタイトの結晶構造中に光触媒を置換）等により行うことができる。
【００２９】
ところで、前記複合体には、さらに、殺菌剤及び／又は水生ポリマーが含まれる。ここで、前記殺菌剤は、過酸化水素水を生じさせる物質、イオンを生じさせる銀を含む金属又はトリポリリン酸であり、前記水生ポリマーは、水分を含有するヒアルロリン酸及び／又はケルザンである。
【００３０】
保管袋１２は、保管物品１０Ａを包装した物品包装手段１１を略真空に保つための袋であり、物品包装手段１１を封入するのに好適なサイズ及び形状を有する。好ましくは、保管袋１２は予め三辺に加熱圧接された閉じ部（シール部）１２１を有する袋形状であり、物品包装手段１１及び脱酸素剤１３、酸素検知剤１４を入れて空気を抜いた後に、残りの一辺（封入口１２２）が加熱圧接されるものとする。
【００３１】
保管袋１２は、保管物品１０Ａと酸素検知剤１４の検知窓１４１の変化が視認できるよう透明又は半透明の素材、かつ内部の略真空状態を保持できる素材で構成されるのが好ましい。例えば、ポリエチレン、ポリプロピレン、ポリ塩化ビニリデン、ポリ塩化ビニル、ポリ酢酸ビニル、ナイロン、ポリテトラフルオロエチレン等が好適である。
【００３２】
脱酸素剤１３には、還元鉄の微粉末等、酸化傾向の大きい物質を用いる。この脱酸素剤１３の容積（分量）、個数及びその配置は保管物品１０Ａの大きさに合わせて任意に選定する。
酸素検知剤１４は、雰囲気中の酸素濃度が一定量に達した際に発色若しくは変色するものであり、酸素検知剤１４に設けられた検知窓１４１からその発色若しくは変色を確認することができる。酸素検知剤１４の個数及び配置は任意に選定する。
【００３３】
〔第２の実施形態〕
図２は、本発明の第２の実施形態に係る物品保管装置１Ｂの全体構成を示す平面図である。なお、この図において図１と重複する部分には同一の符号を付して説明を省略する。
この実施形態では、物品保管装置１Ｂが保管する保管物品１０Ｂとして、刀剣の刀身を例に挙げている。
この図に示すように、保管物品１０Ｂ（刀身）の大きさに合わせて脱酸素剤１３のサイズを第1の実施形態より大きくしている。なお、この実施形態では脱酸素剤１３の個数を一つとしているが、脱酸素剤１３を複数封入し、保管物品１０Ｂの形状やサイズに合わせて必要個所に任意に配置することや、場所に応じて重点的に配置することができる。
このように、古美術品として価値の高い刀剣の刀身部分を、錆や腐食を生じさせることなく長期間保管することができる。
【００３４】
〔第３の実施形態〕
図３は、本発明の第３の実施形態に係る物品保管装置１Ｃの全体構成を示す平面図である。なお、この図において図１と重複する部分には同一の符号を付して説明を省略する。
この実施形態では、物品保管装置１Ｃが保管する保管物品１０Ｃとして、掛け軸を例に挙げている。
この図に示すように、保管物品１０Ｃ（掛け軸）の大きさに合わせて脱酸素剤１３の個数を複数としている（脱酸素剤１３Ａ，１３Ｂ）。
このように、古美術品として価値の高い掛け軸を、黄ばみや劣化を生じさせることなく長期間保管することができる。
【００３５】
〔第４の実施形態〕
図４は、本発明の第４の実施形態に係る物品保管装置１Ｄの全体構成を示す平面図である。なお、この図において図１と重複する部分には同一の符号を付して説明を省略する。
この実施形態では、物品保管装置１Ｄが保管する保管物品１０Ｄとして、情報記録媒体（ここではコンパクトディスク）を例に挙げている。
このように、大切な情報を記録するコンパクトディスクのディスク表面に、情報の読出・書込に関わる劣化を生じさせることなく長期間保管することができる。
【００３６】
図５、６は、本発明に係る物品の保管方法のステップを示す図である。
まず、第１のステップにおいて、図５（ａ）に示すように、予め三辺に閉じ部１１１を有する物品包装手段１１の中に、保管物品１０を挿入する。
次に、第２のステップにおいて、図５（ｂ）に示すように、物品包装手段１１の封入口１１２を閉じ合わせ、密封する。
次いで、第３のステップにおいて、図５（ｃ）に示すように、保管物品１０を密封した物品包装手段１１、及び脱酸素剤１３と酸素検知剤１４を、予め三辺に加熱圧接された閉じ部（シール部）１２１を有する保管袋１２内に挿入する。
次いで、第４のステップにおいて、図６（ｄ）に示すように、空気吸引装置３を用いて保管袋１２内部の空気を引き抜く。なお、空気吸引装置３としては、家庭用の真空パック器を用いても良いし、電気掃除機を真空ポンプ機として利用しても良い。
最後に、第５のステップにおいて、図６（ｅ）に示すように、保管袋１２の内部から空気を抜いた状態のまま、保管袋１２の封入口１２２を加熱圧接により閉じ合わせ、密封する。
【００３７】
なお、より真空性を高めるため、保管袋から空気を抜いて密封した後、それをさらに別の保管袋に封入し再度空気を抜いて密封する等、保管袋を複数重ねて用いても良い。
上記の第１のステップから第５のステップまでを実施後、酸素検知剤が発色、変色する等、酸素を吸入したことを示した場合には、上記第１のステップから第５のステップを再度繰り返す。それにより、劣化や変質を起こすことなく保管物品の長期保管が可能になる。
【００３８】
以上、本発明の実施形態について説明したが、本発明は上記実施形態に限定されるものではない。保管物品１０の具体的な内容として、刀剣の鍔、刀剣の刀身、掛け軸、情報記録媒体のコンパクトディスクを示したが、保管物品１０の具体的な内容は任意であり、例えば、磁気テープ、メモリカード、ＩＣメモリ等の情報記録媒体や古美術品、埋蔵品、発掘品等、様々な物品に適用することができる。このように本発明は、本発明の趣旨に基づき種々の変形が可能であり、これらを本発明の範囲から排除するものではない。
【産業上の利用可能性】
【００３９】
本発明は、物品の保管方法及び物品保管装置に係り、特に、古美術品等の経時劣化や変質により価値が低下する物品を、長期に渡って錆や腐食等によって変質させることなく保存するための物品の保管方法及び物品保管装置に関するものであり、産業上の利用可能性を有する。
【図面の簡単な説明】
【００４０】
【図１】本発明の第１の実施形態に係る物品保管装置１Ａの全体構成を示す平面図である。
【図２】本発明の第２の実施形態に係る物品保管装置１Ｂの全体構成を示す平面図である。
【図３】本発明の第３の実施形態に係る物品保管装置１Ｃの全体構成を示す平面図である。
【図４】本発明の第４の実施形態に係る物品保管装置１Ｄの全体構成を示す平面図である。
【図５】本発明に係る物品の保管方法のステップを示す図（１／２）である。
【図６】本発明に係る物品の保管方法のステップを示す図（２／２）である。
【符号の説明】
【００４１】
１Ａ：物品保管装置（第１の実施形態）
１Ｂ：物品保管装置（第２の実施形態）
１Ｃ：物品保管装置（第３の実施形態）
１Ｄ：物品保管装置（第４の実施形態）
３：空気吸引装置
１０：保管物品
１０Ａ：保管物品（刀剣の鍔）
１０Ｂ：保管物品（刀剣の刀身）
１０Ｃ：保管物品（掛け軸）
１０Ｄ：保管物品（コンパクトディスク）
１１：物品包装手段
１２：保管袋
１３、１３Ａ、１３Ｂ：脱酸素剤
１４：酸素検知剤
１１１、１２１：閉じ部
１１２、１２２：封入口
１４１：検知窓
【図１】
2009012803.tif 000003
【図２】
2009012803.tif 000004
【図３】
2009012803.tif 000005
【図４】
2009012803.tif 000006
【図５】
2009012803.tif 000007
【図６】
2009012803.tif 000008